(57)【特許請求の範囲】
【請求項１】
ガスボンベ（Ｂ）の１本を支持してそのガスボンベ（Ｂ）の転倒を防止する支持装置（Ａ４、Ａ５、Ａ６）であって、地表面に設置される枠状支持台（１０3）と、その支持台の上面周りから上方に長く延びる複数の支持柱（２０2、２０3）と、その支持柱の上部に固定されてガスボンベの全周側面に沿って当てがわれる支持リング（３０1）とを有し、
上記支持台は上記支持柱の下端が嵌合する支持孔（１０ｄ）を有し、上記支持リングは前記支持柱に嵌る嵌合筒（３５）を有し、前記支持柱の下端を支持孔（１０ｄ）に抜き差し可能に嵌合することによって支持台に支持柱を上方に長く延設し、その支持柱に前記嵌合筒を嵌合することによって支持柱の上部に前記支持リングを抜き差し可能に固定して、前記支持台から前記支持柱及びその支持柱から上記支持リングがそれぞれ分離可能となっており、
上記ガスボンベは上記支持柱で囲まれるスペース（Ｓ）の上記支持リング内に上方から入れることができて前記支持台の枠状内で直に地表面に設置されることを特徴とするガスボンベ用支持装置。
【請求項２】
ガスボンベ（Ｂ）の１本を支持してそのガスボンベ（Ｂ）の転倒を防止する支持装置（Ａ１、Ａ２、Ａ３、Ａ４、Ａ５、Ａ６）であって、地表面に設置される枠状支持台（１０1、１０2、１０3）と、その支持台の上面周りから上方に長く延びる複数の支持柱（２０1、２０2、２０3）と、その支持柱の上部に固定されてガスボンベの全周側面に沿って当てがわれる支持リング（３０、３０’、３０1）とを有し、前記ガスボンベは前記支持柱で囲まれるスペース（Ｓ）の前記支持リング内に上方から入れることができて前記支持台の枠状内で直に地表面に設置されることを特徴とするガスボンベ用支持装置。
【請求項３】
１本のガスボンベ（Ｂ）を支持してそのガスボンベ（Ｂ）の転倒を防止する支持装置（Ａ２、Ａ３）であって、地表面に設置されるコ字状支持台（１０2）と、その支持台の上面周りから上方に長く延びる複数の支持柱（２０1）と、その支持柱の上部に固定されてガスボンベの側面に沿って当てがわれる一部切欠き支持リング（３０’）とを有し、
上記支持リング（３０’）は、上記一部切欠きによって前面が上記支持台（１０2）のコ字状の両側辺杆（１１）間の開口に対応して開口されて前記ガスボンベがその前面開口（３２、３３）から支持リング（３０’）内に出し入れ可能となっており、その前面開口（３２、３３）の両側をなす支持柱にはその両支持柱に亘って取付・固定可能なガスボンベ側面に沿わせてそのガスボンベの前記前面開口からの飛び出しを防止するベルト（３１、３４）を設け、
上記ガスボンベは上記支持柱で囲まれるスペース（Ｓ）の上記支持リング内に入れられて前記支持台のコ字状内で直に地表面に設置されることを特徴とするガスボンベ用支持装置。
【請求項４】
上記支持台は上記支持柱の下端が嵌合する支持孔（１０ｄ）を有し、上記支持リングは前記支持柱に嵌る嵌合筒（３５）を有し、前記支持柱の下端を支持孔（１０ｄ）に抜き差し可能に嵌合することによって支持台に支持柱を上方に長く延設し、その支持柱に前記嵌合筒（３５）を嵌合することによって支持柱の上部に前記支持リングを抜き差し可能に固定して、前記支持台（１０1、１０2、１０3、１０4）から前記支持柱（２０1、２０2、２０3、２０4）及びその支持柱から前記支持リング（３０、３０’、３０1、３０2）がそれぞれ分離可能となっていることを特徴とする請求項２又は３に記載のガスボンベ用支持装置。
【請求項５】
上記支持台が、四角状支持板（１０ａ）と、その周囲の側壁（１０ｂ）と、前記支持板（１０ａ）の中央部に形成されたガスボンベ（Ｂ）の下部が入る孔（１０ｃ）と、その孔（１０ｃ）の周りの支持板（１０ａ）に上記支持柱の下端が嵌合する上記支持孔（１０ｄ）とからなる扁平四角箱状であり、その支持柱及び上記支持リングは前記支持台内に納められることを特徴とする請求項１又は４に記載のガスボンベ用支持装置。
【請求項６】
上記支持台は四角状又はコ字状であって、その各辺杆（１１）の一方の端から補助杆（１２1、１２2、１２3）が出没可能に設けられて、その補助杆は前記支持台の４つの角にそれぞれ位置することを特徴とする請求項１乃至５の何れか一つに記載のガスボンベ用支持装置。
【請求項７】
上記支持台（１０4）が底板（１０ｆ）を有してその中心線で対称に２分割されたものであり、その一方の分割支持台の底板を上記ガスボンベの底面下に嵌め込むとともに他方の分割支持台の底板を前記ガスボンベの底面下に嵌め込み、両分割支持台同士を突き合わせて重ねることにより、前記ガスボンベは上方から入れることなく、上記支持柱で囲まれるスペース（Ｓ）の上記支持リング内に入れられて前記支持台の枠状内で直にではなく前記底板（１０ｆ）を介して地表面に設置されることを特徴とする請求項１乃至６の何れか一つに記載のガスボンベ用支持装置。
【発明の詳細な説明】
【技術分野】
【０００１】
この発明は、液化石油ガス（ＬＰＧ）、液化ブタン、溶解アセチレン、液化アンモニア、窒素、酸素、アルゴン、水素、ヘリウム、空気、液化炭酸ガス等の気体や液体を貯蔵・運搬することに用いる耐圧容器であるガスボンベを安全に起立状態で支持固定（転倒防止）する装置に関するものである。
【背景技術】
【０００２】
この種のガスボンベは、その貯蔵物のガスに応じて、液化炭酸ガス：緑色、酸素ガス：黒色、液化塩素：黄色、水素ガス：赤色、液化アンモニア：白色、アセチレンガス：褐色、その他の種類：ねずみ色等のように表面色が規定されて、その取り扱い時の注意が促されている。
例えば、ＬＰＧボンベはねずみ色が主であって、ガス２ｋｇ充填用、同５ｋｇ充填用、同８ｋｇ充填用、同１０ｋｇ充填用、同２０ｋｇ充填用、同３０ｋｇ充填用、同５０ｋｇ充填用等がある（以下、ガス１０ｋｇ充填用ボンベ：Ｂ３、同２０ｋｇ充填用ボンベ：Ｂ１、同５０ｋｇ充填用ボンベ：Ｂ２とし、他の大きさのボンベも含め総称としてボンベＢとする）。このＬＰＧボンベＢは、都市ガスが引かれてない場所（地域）において、熱源（ＬＰＧ）容器として使用されている。
【０００３】
そのＬＰＧボンベは、例えば、花火大会等の各種のイベントや初詣、神社の祭り等においては、数多くの露店が並び、その露店の中には、煮炊きをするためにコンロを使用し、そのコンロの多くはＬＰＧを使用している。その露店は、参道等の脇に設置され、ＬＰＧボンベＢの設置には不向きな場所が多く、そのボンベＢは不安定な状態で置かれているのが実用である。ＬＰＧは、液体でボンベ内に充填されており、横置きしたり、倒れたりすると、栓（バルブ）からその液が漏れて約４００倍のガスとなり、爆発の危険がある。
このため、例えば、京都府においては、「露店への火災予防指導要領」が定められており、その要領の一つとして、「容器（ＬＰＧボンベ）は倒れないように固定し、人がみだりに近づかない安全な場所に置く。」ことと規定されている。
【０００４】
また、一般家庭におけるＬＰＧボンベＢは、ＬＰＧの普及当初、軒下に設置し、チェーンで壁等に括り付けているのが一般的であった。しかし、この括り付けによる支持固定手段は、不安定で転倒等の恐れがあるため、従来では、地表面に設置される平板状支持台に支柱を立てると共に、その支柱間に弧状のアームを設け、前記支持台上にＬＰＧボンベをその後面を前記アームにも垂れかけて載置し、ボンベ前面を支柱間に設けたチェーンでもって支持固定するＬＰＧボンベ固定台（支持装置）が提案されている（特許文献１図１、２参照）。
さらに、収納庫にＬＰＧボンベＢを収納する考えもある（特許文献２図８、図９参照）。
【先行技術文献】
【特許文献】
【０００５】
【特許文献１】特開２０００−２５７７９８号公報
【特許文献２】特開平１１−２５７６００号公報
【特許文献３】特開２００２−３４０２０８号公報
【特許文献４】特開２００５−１７７６６５号公報
【発明の概要】
【発明が解決しようとする課題】
【０００６】
例えば、露店においては、通常、ＬＰガス（プロパンガス）を２０ｋｇ以下（通常は、２０ｋｇ、１０ｋｇ、８ｋｇ又は５ｋｇ）充填したボンベが使用されており、満充填であると、そのＬＰＧボンベは、例えば２０ｋｇ満充填であると約４０ｋｇ近くの重さである。また、露天商は、花火会場等の各イベント会場に移動するため、車に、コンロ等と共にＬＰＧボンベＢも積んで移動する。このため、その積荷は軽くコンパクトであることが望まれ、ボンベ支持台にＬＰＧボンベＢを収納（設置）した状態で運搬できることが好ましい。
また、一般家庭であっても、ＬＰＧボンベＢの支持台は、軽く、不陸（凹凸のある地表面）でもできるだけ安定的にボンベが支持固定されることが好ましい。
【０００７】
上記特許文献１記載の支持装置は、支持台が平板状であるため、その重量が重く、また、不陸に設置すると、安定性に欠ける。露店を設置する場所は、不陸の場合が多く、その設置状態の安定性に欠ける。一般家庭においても、軒先の地表面も同様に不陸の場合が多く、その懸念がある。
さらに、上記従来の支持装置は、２本以上のＬＰＧボンベＢを支持固定するものであり、１本のみのＬＰＧボンベＢを支持固定するには大きすぎる上に、運搬用としては嵩をとって重い。
【０００８】
以上はＬＰＧボンベＢの場合であったが、上記液化ブタン、溶解アセチレン、液化アンモニア、窒素、酸素、アルゴン、水素、ヘリウム、空気、液化炭酸ガス等の気体や液体のガスボンベにおいても、その取り扱いには注意が必要であり、ＬＰＧボンベＢと同様の問題がある。
【０００９】
この発明は、上記実情の下、１本のガスボンベＢを支持固定するに際し、その装置を軽量にするとともに、設置安定性の高いものとすることを課題とする。
【課題を解決するための手段】
【００１０】
上記課題を達成するために、この発明の一の構成としては、ガスボンベの１本を支持する支持装置であって、地表面に設置される支持台と、その支持台の上面周りから上方に長く延びる複数の支持柱と、その支持柱の上部に固定されてガスボンベの全周側面に沿って当てがわれる支持リングとを有し、前記ガスボンベは前記支持柱で囲まれるスペースの前記支持リング内に入れられる構成を採用することができる。
この構成の支持装置は、ガスボンベを支持柱で囲まれるスペースの上面から支持リング内に入れたり、ガスボンベの上から嵌めたりしてそのボンベを収納するため（図３参照）、軽いボンベ、例えば、ＬＰガスの場合、２０ｋｇ以下を充填したボンベの支持用とすることが好ましい。
なお、上記「地表面」には、土の表面のみならず、コンクリート面等のこの種のガスボンベを載置する面のすべてを含む。
【００１１】
この構成の支持装置において、支持台を枠状とすることができる。枠状であれば、平板状に比べれば、軽量となるとともに、不陸に設置しても、その枠部分が設置される地表面が面一であれば、支持台は安定して設置し得る。平板状であると、その平板内に凹凸の地表面があると、その凹凸によって安定しないが、枠状であると、その枠内に凹凸があってもその支持台の設置に支障がないからである。
なお、「枠状」には、四角枠状、円枠状、多角形枠状等が考えられるが、そのガスボンベの１本が入り得る枠であれば、その形状は任意であり、ガスボンベの地表面への設置は、特に述べない限り、ガスボンベが支持柱で囲まれるスペースの支持リング内に入れられて支持台の枠状内で直に地表面に設置される場合を言う。
【００１２】
この発明の他の構成としては、１本のガスボンベの支持台であって、地表面に設置されるコ字状支持台と、その支持台の上面周りから上方に長く延びる複数の支持柱と、その支持柱の上部に固定されてガスガスボンベの側面に沿って当てがわれる一部切欠き支持リングとを有し、前記支持リングは、前記一部切欠きによって前面が開口されてガスボンベがその開口から支持リング内に出し入れ可能となっており、その開口の両側をなす支持柱にはその両支持柱に亘って取付・固定可能なガスガスボンベ側面に沿わせてそのガスガスボンベの前記開口からの飛び出しを防止するベルトを設けた構成を採用することができる。
この構成の支持装置は、上記ベルトを外した状態で、支持柱間の開口からガスボンベを支持装置内に収納できる。このため、ＬＰＧボンベの場合、２０ｋｇ以下は勿論、重いボンベ、例えば、ＬＰＧが２０ｋｇを超えて充填されたボンベに使用することができる。
【００１３】
上記各構成において、上記支持台から上記支持柱及びその支持柱から上記支持リングがそれぞれ分離可能となっており、支持台は支持柱の下端が嵌合（抜き差し可能な嵌合、以下同様）する支持孔を有し、支持リングは支持柱に嵌る嵌合筒を有するものとすれば、支持柱の下端を支持孔に嵌合することによって支持台に支持柱を上方に長く延設し、その支持柱に嵌合筒を嵌合することによって支持柱の上部に支持リングを固定することができる。すなわち、支持台、支持柱及び支持リングがそれぞれ分離された物となって、それらを分離した状態で梱包等ができるため、その梱包状態（運搬状態）の嵩を小さくすることができる。
【００１４】
このとき、上記支持台を、四角状支持板と、その周囲の側壁と、前記支持板の中央部に形成されたガスボンベ下部が入る孔と、その孔の周りの支持板に設けた支持柱の下端が嵌合する支持孔とからなる扁平四角箱状とすれば、その支持台の大きさを適宜に設定することによって、上記支持柱及び支持リングをその支持台内に納めることができるため、梱包（収納）がよりし易く嵩もより小さくし得る。
【００１５】
また、上記支持台はその各辺杆の一方の端から補助杆が出没可能に設けられておれば、その補助杆を突出させることにより、支持台の支持有効面積（支持台の外周縁を囲む面積）が広くなって支持安定性が向上する。このとき、その補助杆は支持台の角、四角枠状又はコ字状であればその４角に、それぞれ位置させることが好ましい。ボンベ周りにおける支持面積の均一性を得やすいからである。この補助杆も支持台内に収納することができる。
【００１６】
上記支持台は、その中心線で対称に２分割されたものとすれば、その一方側を複数製作するだけで、支持台を製作し得るため、その製作コストの低減を図ることができるとともに、梱包（収納）時に、その２つの分割片を積み重ね得る等の利点がある。さらに、ボンベを地表面に設置した後、そのボンベに支持台を付設し得ることもできる（下記支持装置Ａ７参照）。
また、支持台又は支持柱に凹部又は突部を有するとともに、両端に前記凹部又は突部に嵌る突部又は凹部を有する連結杆を備えるものとすることができる。このようにすれば、隣り合うガスボンベ用支持装置のそれぞれの前記凹部又は突部に前記連結杆の端の突部又は凹部をそれぞれ嵌め、その連結杆の嵌め込みによって前記隣り合うガスボンベ用支持装置を連結支持し得るようにすることができる。
【発明の効果】
【００１７】
この発明は、以上のように構成したので、１本のガスボンベの支持装置としては、軽くてその支持が安定したものとなる。
【図面の簡単な説明】
【００１８】
【図１】この発明に係るガスボンベ用支持装置の一実施形態のそのボンベを支持した状態の斜視図
【図２】同実施形態の正面図
【図３】同実施形態の作用説明図
【図４】同実施形態の斜視図
【図５】同実施形態の正面図
【図６】同実施形態の平面図
【図７】同実施形態の部分拡大図であり、（ａ）は正面図、（ｂ）は右側面図、（ｃ）は一部切断平面図
【図８】この発明に係るガスボンベ用支持装置の他の実施形態の斜視図
【図９】同実施形態のガスボンベを支持した状態を示し、（ａ）は正面図、（ｂ）は右側面図、（ｃ）は平面図
【図１０】この発明に係るガスボンベ用支持装置のさらに他の実施形態を示し、（ａ）は要部斜視図、（ｂ）は平面図
【図１１】この発明に係るガスボンベ用支持装置のさらに他の実施形態の斜視図
【図１２】同実施形態の分解収納状態斜視図
【図１３】同実施形態の一使用態様斜視図
【図１４】同使用態様を示し、（ａ）は平面図、（ｂ）は正面図
【図１５】この発明に係るガスボンベ用支持装置のさらに他の実施形態の斜視図
【図１６】同実施形態の分解収納状態斜視図
【図１７】この発明に係るガスボンベ用支持装置のさらに他の実施形態の要部切断平面図
【図１８】同実施形態の分解収納状態斜視図
【図１９】この発明に係るガスボンベ用支持装置のさらに他の実施形態の斜視図
【図２０】同実施形態の分解斜視図
【図２１】同実施形態の支持台の斜視図
【図２２】同実施形態の一使用態様斜視図
【図２３】同使用態様を示し、（ａ）は平面図、（ｂ）は正面図
【図２４】同実施形態の他の使用態様の平面図
【発明を実施するための形態】
【００１９】
この発明に係るボンベ支持装置の一実施形態を図１〜図７に示し、この実施形態は、ＬＰＧ１０ｋｇ又は２０ｋｇ充填のボンベＢ１又はＢ３の支持装置Ａ１である。このため、露店用ＬＰＧボンベＢの支持装置として最適なものである。
【００２０】
この支持装置Ａ１は、地表面に設置される四角枠状支持台１０１と、その支持台の四角から上下方向に長く延びる支持柱２０１と、その支持柱２０１の上部に固定されてＬＰＧボンベＢの全周側面に沿って当てがわれる支持リング３０とからなる。
支持台１０１の各辺をなす辺杆１１は、同一長さの断面正四角枠状の筒からなり、その一端面を隣接する他の辺杆１１の一端側面に溶接することによって一体となって、正四角枠状の支持台１０１を構成している。各辺杆１１には、地表面に釘杭を打ち込める孔を形成することもできる。その孔は全ての辺杆１１に設け無くても良い。設けない場合は、この支持装置Ａ１は移動自在となる。また、支え棒を付設しておき、その支え棒を地面に突き刺し、その支え棒と支持柱２０１を括る等によって支え棒でこの装置Ａ１を支えるようにすることもできる。
【００２１】
各辺杆１１には同じく断面正四角枠状の筒からなる補助杆１２１が出没自在に挿入されており、その各補助杆１２１は、同一長さで各辺杆１１の同一位置に配置されているため、支持台１０１の中心ｃ（図６参照）に対して点対称に位置する。
この各補助杆１２１の一側面に摺動片１３が固定され（図１、図２等参照）、同上面に押し付け片１４が固定されている（図１、図２、図６等参照）。また、各辺杆１１の長さ方向三分の１程の補助杆１２の突出側上面に摘み（固定ねじ）１５がねじ込まれており、この摘み１５をねじ込んでその先端を押し付け片１４に押し付ける（圧接する）ことによって辺杆１１に対し補助杆１２１が固定される。このため、押し付け片１４の長さ内において、補助杆１２１を任意の突出長さで辺杆１１に固定することができる。この各補助杆１２１の突出長さを同一とすることによって、その突出状態においても、各補助杆１２１は、支持台１０１の中心ｃに対して点対称に位置する（図６参照）。摺動片１３は摺動面積を少なくして補助杆１２１の出し入れを円滑にする。
【００２２】
上記支持柱２０１は板片からなって、この実施形態においては、支持台１０１の周りの四等分位（辺杆１１の長さ方向中央）に４本その下端を溶接することによって立てられている。その支持柱２０１の本数や高さは、ＬＰＧボンベＢを安定して支持できるように適宜に設定する。例えば、ＬＰＧ１０ｋｇ充填ボンベＢ３（図１５参照）であれば、高さは３１０ｍｍ、ＬＰＧ２０ｋｇ充填ボンベＢ１であれば、高さは６１０ｍｍとする。この高さを４００ｍｍとすると、１０ｋｇ及び２０ｋｇ充填ボンベＢ１、Ｂ３の両者をこの支持装置Ａ１で兼用できる。因みに、ＬＰＧの充填量が異なってもそれらのボンベＢ１、Ｂ３の径は同じのため、支持台１０１の一辺の長さは、例えば、４１０ｍｍとする。
【００２３】
各支持柱２０１には、適宜な孔２１を形成して軽量化を図る。このとき、その孔２１は、単なる円形、菱形、楕円形、四角計などとしたり、製造者や販売者のロゴや商標を形取ったりしても良い（図７（ａ）等参照）。一の対向する（左右の）支持柱２０１、２０１の上端は幅広となって取手孔２２が形成されており、この孔２２に手を入れてこの支持装置Ａ１を持ち上げたり、移動したりすることができる。
【００２４】
各支持柱２０１に囲まれたスペースＳ（図４参照）がＬＰＧボンベＢが収納される部分であり、そのスペースＳの上下（支持柱２０の上下端）に円環状の支持リング３０が溶接によって設けられている。この支持リング３０の位置及び数は、ＬＰＧボンベＢを安定して支持できる限りにおいて任意である。但し、支持柱２０の上部には少なくとも設けてボンベＢの転倒を防止する。
上下の支持リング３０の間には消火器Ｃの支持片４０が溶接されており、その片４０のフック４１に消火器Ｃを引っかけてこの装置Ａ１に消火器Ｃを付設することができる（図１参照）。
【００２５】
なお、この装置Ａ１には、ＬＰＧボンベＢの栓に接合可能な圧力調整器Ｄ、分岐栓Ｅ、使用量計測メータ等の一般的な付属機器を付設することができる。そのメータには、ガス漏れが生じた時、そのガス経路を遮断する機能を持ったものとすることができる。さらに、何らかの事情によって万一ボンベＢが転倒しても、特許文献３に示す特定の位置で変形又は破断してガスを遮断する防止弁等を設けることもできる。分岐栓Ｅ等は、図示のようにカバーを設けたり、ボックスに収納したりする。
【００２６】
この支持装置Ａ１は以上の構成であり、例えば、図３に示すように、ＬＰＧボンベＢにその上方からこの装置Ａ１を支持柱２０１で囲まれるスペースＳの支持リング３０内に入れて収納支持する。また、図４に示す、この支持装置Ａ１を設置した状態で、ＬＰＧボンベＢをスペースＳの上方から入れて収納支持することもできる。何れにおいても、この収納状態は、支持リング３０によってＬＰＧボンベＢの周面下部と同上部が支持され、その支持リング３０が支持柱２０１及び支持台１０１によって支えられているため、安定したものとなる。
このＬＰＧボンベＢを収納した状態で、車に搭載すれば嵩張らない。
花火会場等の設置場所においては、図１実線、図２実線、図６鎖線で示すように、補助杆１２１を突出させてより安定化を図る。
【００２７】
この発明に係るＬＰＧボンベ支持装置の他の実施形態を図８〜図９に示し、この実施形態は、ＬＰＧ２０ｋｇを超えた、例えば５０ｋｇ充填のボンベＢ２の支持装置Ａ２である。このため、露店用ＬＰＧボンベＢ１、Ｂ３の支持装置としては不向きであり、一般家庭などに適したものである。
【００２８】
この支持装置Ａ２は、地表面に設置されるコ字状支持台１０2と、その支持台１０2の上面から上方に長く延びる片状支持柱２０1と、その支持柱２０1の上部に固定されてＬＰＧボンベＢ２の側面に沿って当てがわれる一部切欠き支持リング３０’とからなる。その支持リング３０’は前記一部切欠きによって前面が上記支持台１０2のコ字状の両側辺杆１１、１１間の開口に対応して開口３２、３３されてガスボンベＢ２がその開口３２、３３から支持リング３０’内に出し入れ可能となっている。
支持台１０2の各辺をなす辺杆１１は、上記と同様に、同一長さの断面正四角枠状の筒からなり、その一端面を隣接する他の辺杆１１の一端側面に溶接することによって一体となって、コ字状の支持台１０2を構成している。各辺杆１１には、同様に、地表面に釘杭を打ち込める孔を形成することもできる。その孔は全ての辺杆１１に設け無くても良い。
【００２９】
また、各辺杆１１には、同様に、同じく断面正四角枠状の筒からなる補助杆１２１が出没自在に挿入されており、その各補助杆１２１は、同一長さで、左右の辺杆１１及びその両辺杆１１を連結する辺杆１１に配置されている。
この各補助杆１２１には、同様に、摺動片１３及び押し付け片１４が固定されており、摘み１５をねじ込んで補助杆１２を固定し得る。
【００３０】
上記支持柱２０１は、同様に板片であって、この実施形態においては、四角状支持台１０１の周り四等分の支持台１０２周り三位置にその下端を溶接することによって立てられている。その支持柱２０１の本数や高さは、ＬＰＧボンベＢ２を安定して支持できるように適宜に設定する。
各支持柱２０１には取手孔２２を形成することができる。
【００３１】
各支持柱２０１に囲まれたスペースＳ’がＬＰＧボンベＢ２が収納される部分であり、そのスペースＳ’の上下（支持柱２０１の上下端）に一部切り欠いた環状の支持リング３０’が溶接によって設けられている。この支持リング３０’の位置及び数は、ＬＰＧボンベＢ２を安定して支持できる限りにおいて任意である。
その支持リング３０’の一部切欠き（開口）３２から、ＬＰＧボンベＢ２を支持リング３０’内に出し入れする。その開口３２の両側をなす支持柱２０１、２０１にはその両支持柱２０１に亘って取付・固定可能なＬＰＧボンベＢ２側面に沿わせてそのＬＰＧボンベＢ２の開口３２からの飛び出しを防止するベルト３１を設けている。このベルト３１は、金属製でも良いが、皮や樹脂等のボンベＢ２に当たっても音のしないものが好ましい。
【００３２】
なお、この支持装置Ａ２においても、同様に、上下の支持リング３０’の間に図示の消火器Ｃの支持片４０を溶接することができ、また、ガス調整器Ｄ、分岐栓Ｅ、使用量計測メータ等の一般的な付属機器及び防止弁等を付設することができる。
【００３３】
この支持装置Ａ２は以上の構成であり、図９に示すように、ＬＰＧボンベＢ２は開口３２から支持柱２０１で囲まれるスペースＳ’内に入れ、その前面にベルト３１を取り付けて収納する。ベルト３１はその端のフックを孔２１に係止するなどの適宜な手段によって支持柱２０１に取り付ける。
この収納状態は、支持リング３０’及びベルト３１によってＬＰＧボンベＢ２の周面が支持され、その支持リング３０’、ベルト３１が支持柱２０１及び支持台１０２によって支えられているため、安定したものとなる。
家庭の軒下等の設置場所においては、図９鎖線で示すように、補助杆１２１を突出させてより安定化を図る。
【００３４】
図１等で示した実施形態においても、図８等で示した実施形態のように、前面開口のものとすることができる。例えば、図１０に示すように、支持台１０２はコ字状とし、その四等分の三分位に支持柱２０１を設けたものとすることができる（ＬＰＧボンベＢ１、Ｂ２の支持装置Ａ３）。この場合、図１０に示すように、支持リング３０’を半円状の環片３４として上記ベルト３１と同等の作用をし得るものとし、その環片３４の一端を蝶番によって支持柱２０１に回転自在とし、他端をねじやフックなどによって他の支持柱２０１に取付固定自在とする。環片３４を上記ベルト３１のように可撓性のあるものとしたり、逆に、上記ベルト３１を環片３４のように金属等の剛体としたりすることもできる。
また、図８、図１０で示した支持装置Ａ２、Ａ３においても、その支持台１０２を図１で示した支持装置Ａ１の四角枠状支持台１０１とすることもできる。このとき、その支持台１０１はコ字状支持台１０２においてそのコ字状開口の一辺杆を有する一形態といえる。
【００３５】
この発明に係るＬＰＧボンベ支持装置の他の実施形態をさらに図１１、図１２に示し、この実施形態はＬＰＧ２０ｋｇ充填のボンベＢ１の支持装置Ａ４である。この支持装置Ａ４の支持台１０３は、四角状支持板１０ａと、その周囲の側壁１０ｂと、支持板１０ａの中央部に形成されたプロパンガスボンベＢ１の下部が入る孔１０ｃと、その孔１０ｃの周りの支持板１０ａに支持柱２０２の下端が嵌合する支持孔１０ｄを介して嵌合する支持筒２５とからなる扁平四角箱状である。その一辺は上記と同様に４１０ｍｍとした。なお、この扁平四角箱状支持台１０３も、中央に孔１０ｃを有することによって枠状ということができる。また、支持板１０ａと同様な孔１０ｃを有する底板を有するものとすることもできる。
【００３６】
この支持装置Ａ４の支持柱２０２は円筒パイプからなり、同様に、長さ：６１０ｍｍとした。支持筒２５は溶接によって支持台１０３に固定されている。
支持リング３０１はその外周面周囲四等分位に有蓋キャップ（嵌合筒）３５が溶接によって設けられており、このキャップ３５に支持柱２０２の上部を嵌めて支持柱２０２に支持リング３０１が一体に取り付けられる（固定される）。
【００３７】
補助杆１２２は円筒パイプからなり、その一端部は雄ねじとなって、このねじ部を支持台１０３の四隅に溶接固定の内周ねじ山（雌ねじ）の支持筒１０ｅにねじ込むことによってこの補助杆１２２が突出状態で支持台１０３に固定される（取付けられる）。この補助杆１２２の取外し・取付けし得る態様は、支持台１０３に取付けることによって突出状態となり、取外して支持台１０３内に収納することによって没した状態となるため、補助杆１２２が支持台１０３に出没自在と考えることができる。
また、補助杆は、上記実施形態と同様に、図１７に示すように、支持台１０３の支持筒１０ｅにスライド（出没）自在に設けたものとすることができる。このとき、補助杆１２３はその端のストップ筒１２ａで抜け止めされ、支持筒１０ｅはその内面には雌ねじが形成されていないものとする。
【００３８】
この支持装置Ａ４は、図１２に示すように、支持台１０３内に支持リング３０１、補助杆１２２を収納し、支持台１０３の両側面にそれぞれ２本の支持柱２０２を添えた状態で、ダンボール箱、木箱又はプラスチック箱等の箱Ｅに梱包（収納）して、販売及び運搬を行う。
一方、使用時は、図１１に示すように、支持台１０３に支持柱２０２を立て、その上部に支持リング３０１を嵌め、補助杆１２２を支持筒１０ｅにねじ込むことによって組み立てる。この組み立てた状態において、ボンベＢ１をこの装置Ａ４内に入れて支持する。
このとき、支持柱２０２を支持台１０３に立てる前に、その支持台１０３の孔１０ｃ内にボンベＢ１を載置し、その後、支持柱２０２、支持リング３０１を組み立てることもできる。また、ボンベＢ１を設置した状態において、この装置Ａ４をボンベＢ１にその上方から被せるようにしてもよい（図３参照）。
さらに、アンカー取付金具４５によって、支持台１０３を地面に固定することもできる。その取付金具４５はアンカーボルト４６によって地面に固定する。このアンカー取付金具４５等は上記各実施形態及び後記の各実施形態においても適宜に採用できる。
【００３９】
この支持装置Ａ４は、図１３、図１４に示すように、所要数を直列に並べる場合があり、その場合は、例えば、支持リング３０１を支持柱２０２に嵌める前に、並べた支持装置Ａ４、Ａ４の対向する支持柱２０２に連結筒５１をパイプ５１ａを介して嵌め、その対向する支持柱２０２の連結筒５１の両支持筒５１ｂの間に連結杆５２の端の連結筒５２ａを嵌めて、連結杆５２によって隣接する支持装置Ａ４を相互に支持固定する。
この支持固定状態は、各支持装置Ａ４が支え合うため、安定した設置状態となり、複数のボンベＢを並列して安定的に支持し得る。
【００４０】
図１５は、上記支持装置Ａ４において、ＬＰＧ１０ｋｇ充填のボンベＢ３用としたものであって、支持柱２０３の長さ：３１０ｍｍとしたものである。この装置Ａ５の場合、図１６に示すように、支持台１０３内に支持柱２０３を収納することができる。このとき、補助杆１２２も短くして支持台１０３内に確実に収納し得るようにすることができる。この支持装置Ａ５においても、上記連結筒５１及び連結杆５２によって並列したものとすることができる。
【００４１】
この支持装置Ａ５においては、図１２に示す、上記ＬＰＧ２０ｋｇ充填ボンベＢ１用支持柱２０２を具備することによって、６１０ｍｍ長さの支持柱２０２と３１０ｍｍ長さの支持柱２０３を適宜に選択して使用することによって、ＬＰＧ１０ｋｇ充填ボンベＢ３と同２０ｋｇ充填ボンベＢ１とをそれぞれに適した態様で支持し得るものとすることができる。
このとき、支持台１０３を、ＬＰＧ２０ｋｇ充填ボンベＢ１用支持柱２０２が納まる大きさとしたり、６１０ｍｍ長さの支持柱２０２をその中程で分割して相互の嵌め合いによって連結し得るものとすれば、支持台１０３に全ての部材を納めることができる。
図１７で示した補助杆１２３をスライド自在に設けた支持装置Ａ６は、図１６の収納状態と同様に、図１８に示すように収納できる。
【００４２】
図１９〜図２１には、５０ｋｇＬＰＧボンベＢ２の他の実施形態の支持装置Ａ７を示し、この支持装置Ａ７の支持台１０４は、図１１に示す支持装置Ａ４の支持台１０３と同様に、四角状支持板１０ａと、その周囲の側壁１０ｂと、支持板１０ａの中央部に形成されたプロパンガスボンベＢ２の下部が入る孔１０ｃと、その孔１０ｃの周りの支持板１０ａに支持柱２０４の下端が嵌合する支持孔１０ｄを介して嵌合する支持筒２５とからなる扁平四角箱状である（図２１参照）。
一方、相違点は、支持台１０４がその幅方向の中央線で２分割され（図２０参照）、その各側面に断面Ｌ字状アンカー金具４７を溶接によって取付けている。そのアンカー金具４７の取付面の対向側面にはそのアンカー金具４７の平板部が嵌る底板１０ｆからの切欠き４８が開口している。また、支持台１０４の上板の四隅には、対の固定孔５３が形成されている。また、支持柱２０４は四角筒からなって、支持柱２０４そのものが支持台１０４に対して回り難くなっている（図２０参照）。その支持柱２０４の長さは１０２０ｍｍとした。
さらに、支持柱２０４の下部に嵌る支持リング３０２を有して支持柱２０４の補強を図っている。但し、支持柱２０４の下部は支持筒２５でしっかり支持するため、この支持リング３０２は省略でき、一方、この支持リング３０２を設ける場合は、支持筒２５を省略することができる。
【００４３】
この実施形態の支持装置Ａ７は、５０ｋｇＬＰＧボンベＢ２をその設置地面に置いた状態において、少し傾けて一方の分割支持台（底板）をそのボンベＢ２の底面下に嵌め込み、その後、ボンベＢ２を逆方向に傾けて他方の分割支持台（底板）をそのボンベＢ２の底面下に嵌め込むと共に、両分割支持台同士を突き合わせて重ねる。このとき、支持台１０4の底板１０ｆ部分にボンベＢ２が載るため、支持台１０4は安定する。この場合、ボンベＢ２の地表面への設置は、上記各実施形態と異なり、ガスボンベＢ２は支持柱２０4で囲まれるスペースの支持リング３０2内に入れられて支持台１０4の枠状内で直にではなく底板１０ｆを介して地表面に設置される。
その後、同様に、支持台１０4に支持柱２０4を立て、その上下部に支持リング３０1、３０2を嵌める（図１９参照）。アンカー金具４７には、必要に応じて適宜に上記アンカーボルト４６を打ち込む。
【００４４】
この支持装置Ａ７において、所要数を直列に並べる場合、図２２、図２３に示すように、隣り合う支持装置Ａ７の固定孔５３に連結杆５２の端の連結筒５２ａを嵌めて連結杆５２によって両支持台１０４、１０４を連結する。また、並べた支持装置Ａ７、Ａ７の対向する支持柱２０４の間に連結筒５２ａを嵌めて、連結杆５２によって隣接する支持装置Ａ７を相互に支持固定する。ボンベＢ２が３本以上の並列の場合は、同様に、隣り合う支持装置Ａ７、Ａ７・・の間を連結杆５２によって連結支持する。
この支持固定状態は、各支持装置Ａ７が支え合うため、安定した設置状態となり、複数のボンベＢ２を並列して安定的に支持し得る。
【００４５】
一方、ボンベＢ２を縦横に重ねて設置する場合、例えば、３本のボンベＢ２を設置する場合は、図２４に示すように、隣り合う支持装置Ａ７、Ａ７の間を連結杆５２によって同様に連結支持する。この縦横の設置は、図１１、図１３で示した支持装置Ａ４でも採用し得る。
【００４６】
この５０ｋｇＬＰＧボンベＢ２の複数本を常時使用する集合住宅や工場等においては、その頑丈な支持設備を設けることができる。しかし、一時的な使用の場合、例えば、地震等の自然災害が発生して都市ガスの供給が停止した場合や、夜間工事の際、都市ガスの供給を一時的に停止する際等において、その供給停止した都市ガス供給エリアに、供給されていた都市ガスと同等のウォツベ指数、燃焼速度の混合ガスを、前記都市ガスの代用として供給する場合には、通常、この５０ｋｇＬＰＧボンベＢ２の複数本が使用される（特許文献４参照）。この場合、前記の頑丈な支持設備を設けることはコスト的に問題があり、簡易なこの支持装置Ａ７が好ましく、この支持装置Ａ７は、図２０のように分解して持ち運ぶことができるため、便利である。
【００４７】
上記の支持装置Ａ４、Ａ７においては、その連結を、支持台に設けた固定孔５３からなる凹部や支持柱２０２、２０４に設けた筒５１ｂ、支持柱２０４の頂面の円孔からなる凹部と、連結杆５２の筒５２ａからなる突部の嵌め合いによって行ったが、前者をピン等の突部、後者を筒等からなる凹部として連結するようにすることもできる。
【００４８】
なお、図１１、図１５、図１８に示した支持装置Ａ４〜Ａ６においても、支持台１０３の四角に地表面に釘杭を打ち込める孔を形成したり、支え棒を付設したりしてその支え棒を地面に突き刺し、その支え棒と支持柱２０２、２０３を括る等によって支え棒でこの装置Ａ４〜Ａ６を支えるようにすることもできる。
また、図１０、図１１で示す、ＬＰＧ２０ｋｇ充填ボンベＢ１用支持装置Ａ３、Ａ４によって、ＬＰＧ１０ｋｇ充填ボンベＢ３用を兼用することもでき、図１５、図１８で示す、ＬＰＧ１０ｋｇ充填ボンベＢ３用支持装置Ａ５、Ａ６によって、ＬＰＧ２０ｋｇ充填ボンベＢ１用を兼用することもできる。
さらに、各支持装置Ａ３〜Ａ７においても、同様に、上下の支持リング３０’ 、３０１、３０２の間に図１に図示の消火器Ｃの支持片４０を溶接することができ、また、圧力調整器Ｄ、分岐栓Ｅ、使用量計測メータ等の一般的な付属機器及び防止弁等を付設することができることは勿論である。この場合、支持柱等が分解できる装置Ａ４〜Ａ７にあっては、支持片４０、圧力調整器Ｄ等は取り外し可能な態様とする。
【００４９】
上記各実施形態のおける支持台１０１、１０２、１０３、１０４等の各部材は、耐燃製の材料を使用することが好ましく、例えば、炭素鋼板（ＳＴＫ）、炭素鋼管（ＳＴＫＭ）、冷間圧延鋼板（ＳＰＣＣ）等を使用し、それらには塗装等をすることができる。この塗装時、補助杆１２１、１２２、１２３は、組立前（辺杆１１、支持筒１０ｅに挿入前）に塗装する。
また、支持装置Ａ１〜Ａ３においても、その運搬時、その嵩が大きい場合、分割して運搬できるようにすることもできる。例えば、図８の支持装置Ａ２においては、支持柱２０１を途中（鎖線ｔ）で切断し、その切断端を重ねてボルト止めし得るようにして上下部材に分割したり、支持柱２０１や消火器支持片４０を支持台１０２に差し込みボルト止め可能として、支持台１０２部分と支持柱２０１部分を分割したりした態様とする。
【００５０】
なお、上記各実施形態は、ＬＰＧ２０ｋｇ充填用ボンベＢ１、同５０ｋｇ充填用ボンベＢ２、同１０ｋｇ充填用ボンベＢ３用の支持装置Ａ１〜Ａ７であったが、上記のように、安全に使用し得る限りにおいて、それらの支持装置Ａ１〜Ａ７は、他のボンベＢ１〜Ｂ３も含めてガス２ｋｇ充填用ボンベ、同５ｋｇ充填用ボンベ、同８ｋｇ充填用ボンベ、同３０ｋｇ充填用ボンベ等の何れか１つの支持装置として使用し得ること勿論である。
また、この支持装置Ａ１〜Ａ７の梱包ケースや運搬ケースを断熱性の樹脂等によって筒状に形成し、ボンベＢ１、Ｂ２、Ｂ３を支持固定した際、その上方からそのケースを被せることによって、ボンベＢ１、Ｂ２、Ｂ３が高温、例えば、４０℃以上になることを防止することが好ましい。
さらに、確認ボードを付設し、そのボードに、使用前の点検事項、例えば、「安定して設置されているか？」、「消火器は付設されているか？」等の確認ボタンを設け、その確認ボタンが全て押されないと（ＯＮされないと）、ボンベＢ１、Ｂ２、Ｂ３の栓が開放されないようにすることもできる。
【００５１】
上記各実施形態のガスボンベ支持装置Ａ１〜Ａ７は、プロパンガスボンベＢ１、Ｂ２、Ｂ３の場合であったが、プロパンガスボンベと同様なガスボンベ、例えば、上記液化ブタン、溶解アセチレン、液化アンモニア、窒素、酸素、アルゴン、水素、ヘリウム、空気、液化炭酸ガス等のガスボンベに採用し得ることは勿論である。このとき、支持台１０、支持柱２０等の大きさ、高さ等はそれらの各ボンベの大きさ（太さ）や高さ等に対応させる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。したがって、特許請求の範囲の各請求項の発明特定事項には、その請求項に係る発明を理解し易いように、各実施形態における該当符号を付しているが、その符号によって、各請求項に係る発明の範囲が制限されないことは勿論である。
【符号の説明】
【００５２】
１０１、１０２、１０３  、１０４  支持台
１０ａ  支持台１０３の四角状支持板
１０ｂ  同側壁
１０ｃ  同孔
１０ｄ  同支持孔
１１  支持台をなす辺杆
１２１、１２２、１２３  補助杆
１３  摺動片
１４  押し付け片
１５  補助杆の固定用摘み（固定ボルト）
２０、２０１、２０２、２０３、２０４  支持柱
２１  透孔
２２  取手孔
２５  支持台１０３の支持筒
３０、３０’、３０１、３０２  支持リング
３１  ベルト
３２、３３  開口
３４  環片（ベルト）
３５  有蓋キャップ（嵌合筒）
４０  消火器支持片
５２  連結杆
Ａ１、Ａ２、Ａ３、Ａ４、Ａ５、Ａ６、Ａ７  ガスボンベ支持装置
Ｂ、Ｂ１、Ｂ２、Ｂ３  ＬＰＧボンベ
Ｃ  消火器
ｃ  支持台の中心
【図１】
0006552211.tif 000002
【図２】
0006552211.tif 000003
【図３】
0006552211.tif 000004
【図４】
0006552211.tif 000005
【図５】
0006552211.tif 000006
【図６】
0006552211.tif 000007
【図７】
0006552211.tif 000008
【図８】
0006552211.tif 000009
【図９】
0006552211.tif 000010
【図１０】
0006552211.tif 000011
【図１１】
0006552211.tif 000012
【図１２】
0006552211.tif 000013
【図１３】
0006552211.tif 000014
【図１４】
0006552211.tif 000015
【図１５】
0006552211.tif 000016
【図１６】
0006552211.tif 000017
【図１７】
0006552211.tif 000018
【図１８】
0006552211.tif 000019
【図１９】
0006552211.tif 000020
【図２０】
0006552211.tif 000021
【図２１】
0006552211.tif 000022
【図２２】
0006552211.tif 000023
【図２３】
0006552211.tif 000024
【図２４】
0006552211.tif 000025